(57)【要約】      （修正有）【課題】木造建築工法で基礎部と土台部を固定するアンカーボルトの位置ズレが生じたとき、短時間で容易な作業で土台の表面下となるアンカーボルトの中心位置調整を可能とするアンカーボルトの位置修正に使用する工具を提供する。【解決手段】アンカーボルトの位置ズレ修正に使用する工具は、操作するための取手２と、カットスクリューの形状に合わせて湾曲した形状の支柱部５と、アンカーボルトのネジ形状に合わせた先端形状を持つ先端部とで構成する。【選択図】図１
2017020288.tif 000002
【特許請求の範囲】
【請求項１】
木造建築工法パネル方式に使用するアンカーボルトの位置決め修正作業に使用する工具であって取手とカットスクリューの角度に対応した傾斜を持つ彎曲形状をした支柱部と先端部はアンカーボルトの径に合わせた半円形状構造を持つ先端部を特徴とする位置決め工具。
【発明の詳細な説明】
【技術分野】
【０００１】
本発明は、木造建築において基礎と土台を固定する建築工法に用いる工具に関する。
【背景技術】
【０００２】
本発明は、木造建築でコンクリート基礎と木質土台をアンカーボルトによる固定工法に関する。従来は根太方式によりアンカーボルトの先端部が土台表面から出ていた為、カットスクリューという締め付けネジ部品の作業が容易に出来た。
【発明の概要】
【発明が解決しようとする課題】
【０００３】
図6にて現状工法の問題点を説明する。木造建築工法で、基礎に埋め込まれたアンカーボルトにより基礎部と土台部を固定する方法に関する。従来の建築工法は根太方式が主体であったが現在はパネル方式が主体となっている。根太を使用せずパネルであるためアンカーボルト先端位置は木製の土台表面より突き出ず、必ず土台表面下になければならない。（図6でS1は必ず+）アンカーボルトの基礎側は、コンクリートに埋め込まれているので、コンクリートの固化時にボルトの先端中心が僅かにズレることが多々発生する。
【０００４】
図6にズレ発生時の状態を示す、ズレの寸法をD1で示す。このようなズレが発生した状態で土台固定用カットスクリューによる締め付け固定作業を行う場合、カットスクリューが挿入出来ないため、斜めに挿入され固定強度の低下や仕上がりに問題が発生する。そのために必ず修正作業を行っている。
【０００５】
図5に修正方法の一例を示す。アンカーボルトの傾斜側の土台に外部からタッピングねじを打ち込みアンカーボルトの傾きを補正する。（図５-1に示す。）アンカーボルト周辺の土台表面をのみ（鑿）で削り取る。（図5-2に示す。）図5-1、5-2の作業を行って、アンカーボルトの位置調整をしながらカットスクリューにより締め付け作業を実施し基礎に土台を固定する。
【０００６】
しかし以下の問題があった。上記の図５−１に示す方法では、タッピングネジ11により土台に傷をつけることになり  見栄えの低下、アンカーボルトを傷つけることによる品質の低下。上記の図５−２  Bに示す方法では、土台をのみ（鑿）で削るので見栄えの低下、強度の低下等両手法とも大幅な追加の作業が発生し作業工数が増加することに併せて難易度の高い作業であるため作業ミスも発生しやすい。
【課題を解決するための手段】
【０００７】
上記の課題を解決する本考案は、木造建築工法パネル方式に使用するアンカーボルトの位置決め修正作業に使用する工具であって、取手とカットスクリューの角度に対応した傾斜を持つ彎曲形状をした支柱とアンカーボルト径状に合わせた半円形状構造を持つ先端部より構成されていることを特徴とする位置決め工具である。本発明の位置決め工具を使用することにより、アンカーボルトの位置ズレを修正する修正作業を簡単に、かつ確実に行うことができる。
【発明の効果】
【０００８】
本発明の位置決め工具の使用により土台の表面下にあるアンカーボルトの中心位置のズレ調整をハンドル取手の操作だけの簡易な作業方法で可能となり、従来のズレ発生時、ノミによる土台の切削作業、タッピングねじによるアンカーボルトのズレ修正作業等が不要となり、外見、品質の低下が防止できるとともに従来のズレ発生時の修正工数の低減を図れる。
【図面の簡単な説明】
【０００９】
【図１】本発明の実施例である位置決め工具の正面図を示す。
【図２】本発明の実施例である位置決め工具の平面図を示す。
【図３】本発明の実施例である位置決め工具の先端凹部の側面図を示す。
【図４−１】本発明の実施例である位置決め工具の修正作業具体例を示す図。
【図４−２】本発明の実施例である位置決め工具の修正作業完成例を示す図。
【図５−１】従来のアンカーボルト位置ずれ発生状態時の修正方法に関する修正作業の具体例及びタッピングネジを使用する方法を示す図。
【図５−２】従来のアンカーボルト位置ずれ発生状態時の修正方法に関する修正作業具体例を示す。ノミによる土台の切除作業を示す図。
【図６】アンカーボルト位置ずれ発生状態時の問題点を示した図。
【図７】アンカーボルト位置ずれ発生状態時の問題点を示した写真。
【図８】カットスクリューを示した写真。
【図９】本発明のアンカーボルト位置決め工具を示した写真。
【図１０】本発明のアンカーボルト位置決め工具の使用状態を示した写真。
【発明を実施するための形態】
【実施例】
【００１０】
図1、図2、図3にて本発明に係る位置決め工具の構造、図4、図5にて修正方法について説明する。図1は本発明の位置決め工具の正面図を示す。取手２と、支柱３と、カットスクリュー傾斜支柱部４、先端凹部およびボルト押さえ５、により構成されているが、取手２と、支柱３と、カットスクリュー傾斜支柱部４、先端凹部およびボルト押さえ５は、同一の金属より構成しても良いしそれぞれ別の金属で構成しても良い。
【００１１】
図2は、本発明の位置決め工具の平面図を示す。取手２の材料は、プラスチックでも良いし金属でも良い、つまり握り易ければ何でも良く特に指定はしない。
【００１２】
図3は、先端凹部およびボルト押さえ５の側面図を示す。（図２において先端凹部およびボルト押さえ５を左方向から見た図）ここで凹部６の寸法（形状）は、アンカーボルトのネジ径、ネジ山寸法に合わせた形である。これはアンカーボルトに当てたとき、ネジ山を傷つけないための配慮である。
【００１３】
図4-1にて本発明の位置決め工具１を使用してのズレ修正方法を説明する。コンクリート基礎８に埋め込まれたアンカーボルト７の中心がズレ、土台９の穴の中心よりズレが発生していた場合、狭くなっている土台の部位に本発明の位置決め工具１のカットスクリュー４を傾斜支柱部まで差し込みする。次に本発明の位置決め工具１の先端凹部５をアンカーボルトのネジ山に当てる。カットスクリュー傾斜支柱部４と土台９の接触点を支点として取手２を下方向(F方向)に力を加えアンカーボルトの中心位置が補正されるまで回転させる。支点と先端凹部の距離に比して、支点と取手までの距離が長いので梃の原理により小さい力で容易にアンカーボルトのズレを補正できる。尚、作業中アンカーボルト７の先端は明確に視認でき、曲げ過ぎなど作業誤りの発生を抑えることができる。アンカーボルト７が土台の穴中心に補正された状態でカットスクリュー１０をネジ込む。本手法を使用すれば土台を傷つけることなく、また外観を損なうことなく、また固定の品質を損ことなく仕上げることができる。
【００１４】
図６〜図１０に、アンカーボルト位置ずれ発生状態時の問題点を示した写真(図６)、アンカーボルト位置ずれ発生状態時の問題点を示した写真（図７）、カットスクリューを示した写真(図８)、本発明のアンカーボルト位置決め工具を示した写真（図９）、本発明のアンカーボルト位置決め工具の使用状態を示した写真（図１０）を示す。
【産業上の利用可能性】
【００１５】
本発明は一般建築現場等で使用されるアンカーボルトの位置決め作業工法に関する工具であり、建築業の能率向上および品質向上に有効である。
【符号の説明】
【００１６】
１、本考案の本体
２、取手
３、支柱
４、カットスクリュー傾斜支柱部
５、先端凹部およびボルト押さえ
６、アンカーボルト受け部（凹部）
７、アンカーボルト
８、基礎
９、土台
１０、カットスクリュー
１１、タッピングねじ
【図１】
2017020288.tif 000003
【図２】
2017020288.tif 000004
【図３】
2017020288.tif 000005
【図４−１】
2017020288.tif 000006
【図４−２】
2017020288.tif 000007
【図５−１】
2017020288.tif 000008
【図５−２】
2017020288.tif 000009
【図６】
2017020288.tif 000010
【図７】
2017020288.tif 000011
【図８】
2017020288.tif 000012
【図９】
2017020288.tif 000013
【図１０】
2017020288.tif 000014